(57)【特許請求の範囲】
【請求項１】
手袋の手首部に吸湿性且つ伸縮性の布地を縫製し、前記手袋の掌部、裳側指部および甲側指部を革製とし、甲部を通気性且つ伸縮性の布地とし、前記掌部および指部の先端に革製の補強材を縫製し、前記裳部の補強材には、関節や節に沿って略Ｘ字状の切欠部を形成したことを特徴とする作業用手袋。
【請求項２】
前記切欠部は星型形状をなしており、切欠部の４つの星片内に、手の裳部の略縦方向に延びる２本の関節と、略斜め下方に延びる２本の関節が通過するように形成されていることを特徴とする請求項１記載の作業用手袋。
【発明の詳細な説明】
【０００１】
【発明の属する技術分野】
本発明は、鉱業、農林業、土木建設業、製造業等において使用される作業用手袋に関する。
【０００２】
【従来の技術】
鉱業、農林業、土木建設業、製造業等においては、重機運転、資材運搬、電機工事、溶接、組立等の作業があり、いわゆる軍手による作業では軍手がすぐに破損して指や手の掌に傷をつけてしまう問題があり、そのために、革製の手袋の指や掌の部分に更に革を縫い付けて作業者の手の保護を図る作業用手袋が知られている（例えば、特開平６−１５６４０６号公報参照）。
【０００３】
【発明が解決しようとする課題】
しかしながら、上記従来の作業用手袋は、指や掌の部分の厚みが増すため、指や掌が曲げ難くなって物を掴みにくくなり、また、手の感触がなくなって機器を微妙に操作することができなかったり、各種操作スイッチの位置を確認するのに手間取り作業性が悪くなるという問題を有している。また、指や掌の部分の厚みが増すため、工具や物を掴む場合に滑りやすいとともに、通気性に乏しいので手がむれるという問題を有している。さらに、指や掌の部分の厚みが増すため、工具や物を掴んでいくうちに手袋が脱げる方向にずりあがってしまうという問題を有している。また、水にぬれると滑りやすいという欠点もあった。
【０００４】
また、従来の作業用手袋は、手首部を平織のゴムやベルベットファスナーで締めているが、手首の折り曲げに抵抗感があったり、肌への密着がごわごわして不快感があり、さらに、作業中に発生する汗をぬぐえないという問題を有している。
【０００５】
本発明は、上記従来の問題を解決するものであって、作業中に発生する汗を容易にぬぐうことができると共に、作業者の手の保護を図り、工具や物等を掴み易くして作業性を向上させ、また、通気性と密着性を改善することができる作業用手袋を提供することを目的とする。
【０００６】
【課題を解決するための手段】
上記目的を達成するために、本発明の請求項１記載の作業用手袋は、手袋の手首部６に吸湿性且つ伸縮性の布地７を縫製し、手袋の掌部２、裳側指部および甲側指部３ａ〜３ｅを革製とし、甲部４を通気性且つ伸縮性の布地５とし、前記掌部２および指部の先端に革製の補強材９ａ〜９ｋを縫製し、前記裳部２の補強材９ａには、関節や節に沿って略Ｘ字状の切欠部１０を形成したことを特徴とし、請求項２記載の発明は、請求項１において、前記切欠部１０は星型形状をなしており、切欠部の４つの星片１０ａ〜１０ｄ内に、手の裳部の略縦方向に延びる２本の関節１１ａ、１１ｂと、略斜め下方に延びる２本の関節１１ｃ、１１ｄが通過するように形成されていることを特徴とする。なお、上記構成に付加した番号は、本発明の理解を容易にするために図面と対比させるもので、これにより本発明の構成が何ら限定されるものではない。
以上
【０００７】
【発明の実施の形態】
以下、本発明の実施の形態を図面を参照しつつ説明する。図１は、本発明の作業用手袋の１実施形態を示し、図１（Ａ）は手袋の掌側を示す平面図、図１（Ｂ）は手袋の甲側を示す平面図である。
【０００８】
作業用手袋１は、図１（Ａ）に示すように、掌部２及び掌側の５本の指部３ａ〜３ｅが天然皮革、合成皮革又は人工皮革からなる革製の素材で一体にされ、この手袋素材は、図１（Ｂ）に示すように、親指部３ａの甲側、甲部４の縦方向両側４ａ、４ｂ、指部３ｂ〜３ｅの甲側の指先まで延びている。そして、甲部４と指部３ｂ〜３ｅの指先を除く部分には、通気性且つ伸縮性の布地５が縫い目５ａに沿って縫い合わされている。また、手首部６には、パイル地あるいはタオル地等からなる吸湿性且つ伸縮性の布地７が縫製されている。
【０００９】
図で黒色部分は、革製素材上に縫製される合成皮革、人工皮革または天然皮革（裏側を表にして用いる）からなる滑り止め効果の高い補強材であり、工具や物を掴むときに力が作用する部分、すなわち、掌部２のほぼ全体にわたり縫製された補強材９ａ、親指部３ａの裳側および甲側先端の補強材９ｂ、９ｃ、人差し指部３ｂの裳側および甲側先端の補強材９ｄ、９ｅ、中指部３ｃ、薬指部３ｄのそれぞれ裳側および甲側先端の補強材９ｇ、９ｈ、９ｉ、９ｊ、小指部３ｅの裳側先端の補強材９ｋからなる。そして、掌部２の補強材９ａには、手の掌が曲がりやすいようにその関節や節に沿って略Ｘ字状の幅のある切欠部１０を形成している。この切欠部１０の略Ｘ字状の幅のある切欠が、工具や物を掴み易くしている。
【００１０】
図２は、本発明の他の実施形態を示し、図２（Ａ）は切欠部１０と掌部の関節との関係を示す図、図２（Ｂ）は切欠部１０の形状を説明するための図である。
【００１１】
図２（Ａ）において、本実施形態の切欠部１０は、略Ｘ字状で星型形状をなしており、切欠部１０の４つの星片１０ａ〜１０ｄ内に、手の裳部１１の略縦方向に延びる２本の関節１１ａ、１１ｂと、略斜め下方に延びる２本の関節１１ｃ、１１ｄが通過するように形成されている。詳述すれば、縦方向の星片１０ａ、１０ｃの対称軸は、２本の関節１１ａ、１１ｂを含むように、図２（Ｂ）に示すように、略同一線状にあればよく、横方向の星片１０ｂ、１０ｃの対称軸は、２本の関節１１ｃ、１１ｄが斜め下方に延びている関係で、離間するように形成している。本実施形態によれば、より関節の動きに沿って曲げやすくなり、工具や物等を掴み易くすると共に、切欠部１０が連続直線で形成されるため、ミシンによる縫製が可能となり、大量生産によりコストを低減させることができる。
【００１２】
【発明の効果】
上記構成からなる本発明の作業用手袋によれば、工具や物を掴むときに力が作用する部分に滑り止め効果の高い補強材９ａ〜９ｋを設けているため、作業者の手の保護を図ると同時に、水にぬれても滑りにくいので工具等を持ったときのグリップ力が増して余分な力が入らずに作業の疲労を軽減させることができる。特に、掌部２の補強材９ａには、略Ｘ字状の切欠部１０を形成しているので、手の掌がその関節や節に沿って曲げやすくなり、工具や物等を掴み易くして作業性を向上させ疲労を軽減させることができる。
【００１３】
また、天然皮革の上に合成皮革の補強材を縫製すれば、天然皮革が備えるフィット性及び通気性と、合成皮革が備える水に濡れても滑り難い特性を備えさせることができ、加えて、甲部側には通気性且つ伸縮性の布地４を縫製しているので、通気性と作業性をさらに改善することができる。
【００１４】
さらに、手首部６には吸湿性且つ伸縮性の布地７が縫製されているので、掌部２の補強材９ａにある略Ｘ字状の切欠部１０に生じる余分なシワやヒダを下方向に引き寄せてこれを解消することができ、略Ｘ字状の切欠部１０の効果であるフィット感を更に増す相乗効果を奏することができ、更に、工具や物を掴んでいくうちに手袋が脱げる方向にずりあがってしまうことがなく、かつ手の大小や指の長さが相違しても、手首の折り曲げ等に柔軟にフィットさせることができ、また、このような布地７により作業中にかく額等の汗を片手でぬぐうことができ、高所作業での作業性を改善することができる。
【図面の簡単な説明】
【図１】本発明の作業用手袋の１実施形態を示し、図１（Ａ）は手袋の掌側を示す平面図、図１（Ｂ）は手袋の甲側を示す平面図である。
【図２】本発明の他の実施形態を示し、図２（Ａ）は切欠部１０と掌側の関節との関係を示す図、図２（Ｂ）は切欠部１０の形状を説明するための図である。
【符号の説明】
１…作業用手袋
２…掌部
３ａ〜３ｅ…指部
４…甲部
５…通気性且つ伸縮性の布地
６…手首部
７…吸湿性且つ伸縮性の布地
９ａ〜９ｋ…補強材
１０…切欠部
【図１】
0004315354.tif 000002
【図２】
0004315354.tif 000003